(57)【特許請求の範囲】
【請求項１】
プラグイン型ＩＣカードを保持するカード状アダプタであって、アンテナ用コイルを内蔵するとともに、プラグイン型ＩＣカードを収納する収納部を備え、前記収納部底面にプラグイン型ＩＣカードの端子と接触するアンテナ端子が形成され、プラグイン型ＩＣカードの端子面が前記収納部の底面側になるように挿入された時、ＩＣカードの端子とアンテナ端子が接続されて非接触式カードとして機能し、プラグイン型ＩＣカードの端子面が前記収納部の表面側になるように挿入された時、接触式カードとして機能するように構成したことを特徴とするプラグイン型ＩＣカード用アダプタ。
【請求項２】
前記収納部はアダプタの内部に形成され、その開口部にプラグイン型ＩＣカードを保持するための天板をアンテナ端子が隠れないように形成したことを特徴とする請求項１記載のアダプタ。
【請求項３】
前記収納部はアダプタの側端部に開口部を有し、前記開口部からプラグイン型ＩＣカードが挿入可能であることを特徴とする請求項１記載のアダプタ。
【発明の詳細な説明】
【０００１】
【発明の属する技術分野】
本発明はプラグイン型ＩＣカードを接触式、および非接触式で使用できるようにしたプラグイン型ＩＣカード用アダプタに関する。
【０００２】
【従来の技術】
従来、ＩＳＯ７８１０の規格に準じた大きさのクレジットカード、キャッシュカード等の磁気カードが多く利用され、さらにセキュリティを高め、多目的に使用可能な同サイズのＩＣカードが色々提案されている。また、近年では、携帯電話器に利用されるＳＩＭ（加入者識別モジーュール）カードのようなサイズの小さいプラグイン型ＩＣカードが利用されるようになってきた。プラグイン型ＩＣカードは、従来のクレジットカード等と同じ大きさのカード状プラスチックにミシン目を付けて取り付けられ、これをカードから切り離して携帯電話器等にセットすることにより利用される。
【０００３】
【発明が解決しようとする課題】
このように、従来のプラグイン型ＩＣカードはプラスチック板から一旦取り外すと、サイズが小さいため携帯性に難点があり、一旦切り離したものを再度プラスチック板に取り付けるには、粘着テープ等を使用しなければならない。また、プラグイン型ＩＣカードは基本的に接触式でしか利用できず、非接触式ＩＣカードとして利用することはできなかった。
【０００４】
本発明は、上記課題を解決するためのもので、プラグイン型ＩＣカードを接触式および非接触式で使用することができ、かつ保持力をもたせて携帯性を向上させ、繰り返し利用可能なアダプタを提供しようとするものである。
【０００５】
【課題を解決するための手段】
本発明は、プラグイン型ＩＣカードを保持するカード状アダプタであって、アンテナ用コイルを内蔵するとともに、プラグイン型ＩＣカードを収納する収納部を備え、前記収納部底面にプラグイン型ＩＣカードの端子と接触するアンテナ端子が形成され、プラグイン型ＩＣカードの端子面が前記収納部の底面側になるように挿入された時、ＩＣカードの端子とアンテナ端子が接続されて非接触式カードとして機能し、プラグイン型ＩＣカードの端子面が前記収納部の表面側になるように挿入された時、接触式カードとして機能するように構成したことを特徴とする。
また、本発明は、前記収納部がアダプタの内部に形成され、その開口部にプラグイン型ＩＣカードを保持するための天板をアンテナ端子が隠れないように形成したことを特徴とする。
また、本発明は、前記収納部がアダプタの側端部に開口部を有し、前記開口部からプラグイン型ＩＣカードが挿入可能であることを特徴とする。
【０００６】
【発明の実施の形態】
以下、本発明の実施の形態を図面を参照しつつ説明する。
図１は本発明のプラグイン型ＩＣカード用アダプタの一実施例を説明する平面図、図２は斜視図である。
アダプタ１０はＩＳＯ７８１０の規格に準じた大きさ、厚さを持ち、通常のクレジットカード等と同じ形状のものである。アダプタ１０には、ＳＩＭカードと同サイズ、同形状のプラグイン型ＩＣカード２０を収納するための収納部１１が形成されている。収納部１１は上面が開口し、その一部に収納空間１２を覆うように天板１３が形成されている。また、アダプタ１０は非接触式リーダ／ライター（図示せず）との通信に必要な１３．５６ＭＨｚ用アンテナコイル１４（ＩＳＯ１４４３に準拠）が内蔵され、そのアンテナ端子１５が収納部１１の底面に天板１３で隠れない位置に設けられている。
【０００７】
図２に示すように、プラグイン型ＩＣカード２０の接触端子２１が裏面になるように収納部１１に挿入すると、プラグイン型ＩＣカードの接触端子の４番、８番端子がアンテナ端子１５と接続される。非接触リーダ／ライタとの通信はプラグイン型ＩＣカード２０をアダプタに挿入した状態で行い、駆動電力は非接触式リーダ／ライタからの通信電波により供給される。ＩＣカードの挿入は、図２において、カード先端部を天板１３の下側に潜り込ませるようにして行う。この場合、アダプタもＩＣカードもプラスチック製であるため、収納部とプラグイン型ＩＣカードのサイズがほぼ同じであっても、若干たわますことにより挿入可能である。こうして挿入したＩＣカードは、天板１３がカード上面をおさえる形となり、アダプタからはずれないように十分に保持される。
【０００８】
図３はプラグイン型ＩＣカードを接触式にして利用する場合の説明図である。プラグイン型ＩＣカードの接触端子２１が表面になるようにして、収納部１１に挿入すると、接触端子２１がアンテナ端子１５と接触せず、接触式リーダ／ライタ（図示せず）にセットすると、接触端子２１を通して接触式リーダ／ライタと通信し、接触式ＩＣカードとして使用可能となる。
【０００９】
次に、図４〜図６によりプラグイン型ＩＣカード用アダプタの他の実施例について説明する。
図４は本発明の他の実施例のアダプタを説明する平面図、図５は斜視図、図６は要部断面図である。本実施例のプラグイン型ＩＣカード用アダプタ３０の構成は基本的には図１〜図３に示したものと同じであるが、プラグイン型ＩＣカードを収納する収納部３１がアダプタ側端部に設けられて側端面にも開口している点が異なっている。もちろん、収納部の上面は接触式でも使用できるように少なくともＩＣカードの接触端子４１が露出する程度には開口させておく。ＩＣカードの挿入は、側端面の開口からスライド式に収納する。
【００１０】
そのため、図６に示すように、アダプタ３０の収納部３１には両側辺に沿って突起３６が形成され、プラグイン型ＩＣカード４０の両側辺には突起３６と嵌合するガイド溝４２が切られており、このガイド溝４２に突起３６を嵌合させて押し込むことにより、スライド式にセットされる。このとき突起とガイド溝４２との間には摩擦があるため、プラグイン型ＩＣカードは摩擦力で保持される。勿論、アダプタ端部に何らかの手段でカードが落ちないようなストッパーを形成するようにしてもよい。この例においても、アンテナ用コイル３４の端子３５が収納部３１の底面に形成されており、プラグイン型ＩＣカードの接触端子４１を裏面側にして挿入することにより非接触式ＩＣカードとして機能し、接触端子４１を表面にして収納することにより、接触式ＩＣカードとして機能する。
【００１１】
【発明の効果】
以上のように本発明によれば、プラグイン型ＩＣカードを挿入保持できるような収納部を形成したアダプタを用い、収納部にアンテナ端子を設けることにより、プラグイン型ＩＣカードを接触式および非接触式に使用することができる。また、カード収納部は、ＩＣカードを十分保持できるような構成としたので、ＩＣカードを使用する機器内に挿入する場合やカードを縦にしてリーダ／ライタに接触させる場合に、アダプタからプラグイン型ＩＣカードが外れたり動いたりすることなく処理することが可能であり、またバネや粘着テープ等を使用しないため、繰り返し利用しても耐久力が変わらない。本発明のアダプタは非接触式自動改札機やその他の駅務機器、店舗にある接触／非接触式ＰＯＳ端末、その他接触式、非接触式リーダ／ライタが搭載されている機器等に利用可能である。
【図面の簡単な説明】
【図１】  本発明のプラグイン型ＩＣカード用アダプタの例を説明する平面図である。
【図２】  第１図のプラグイン型ＩＣカード用アダプタの斜視図である。
【図３】  第１図のプラグイン型ＩＣカードを接触式にして使用する場合の説明図である。
【図４】  本発明のプラグイン型ＩＣカード用アダプタの他の例を説明する平面図である。
【図５】  図４のプラグイン型ＩＣカード用アダプタの斜視図である。
【図６】  図４のプラグイン型ＩＣカード用アダプタの要部断面図である。
【符号の説明】
１０…アダプタ、１１…収納部、１２…収納空間、１３…天板、１４…アンテナ用コイル、１５…アンテナ端子、２０…プラグイン型ＩＣカード、２１…接触端子、３０…ＩＣカード用アダプタ、３１…収納部、３４…アンテナ用コイル、３５…端子、３６…突起、４０…プラグイン型アダプタ、４１…接触端子、４２…ガイド用溝。
【図１】
0004530318.tif 000002
【図２】
0004530318.tif 000003
【図３】
0004530318.tif 000004
【図４】
0004530318.tif 000005
【図５】
0004530318.tif 000006
【図６】
0004530318.tif 000007